(57)【要約】【課題】  従来のウェットティッシュロール用容器では、ウェットティッシュロールの中心側端部側から小さいウェットティッシュ取出口を通して引き出すようになっているので、取り出されるウェットティッシュが紐状に収束し、後の展張作業が面倒であった。【解決手段】  容器体１におけるウェットティッシュロールＲの外周面が対応する胴部１１に、ウェットティッシュロールの外周側端部Ｓａを引き出し得るウェットティッシュ取出口３を設け、ウェットティッシュ取出口３は、ウェットティッシュを幅方向にほぼ展張状態で引き出し得る開口長さを有していることにより、連続ウェットティッシュを幅方向に展張状態で引き出せるようにしている。【選択図】    図１
2005271980.tif 000002
【特許請求の範囲】
【請求項１】
一単位長さごとに切断用の破断線（Ｍ）を入れた連続ウェットティッシュ（Ｓ）をロール状に巻回してなるウェットティッシュロール（Ｒ）用の容器であって、
ウェットティッシュロール（Ｒ）を挿入する挿入口（１０）つきの容器体（１）と該容器体（１）の挿入口（１０）を開閉する蓋体（２）を有し、
前記容器体（１）におけるウェットティッシュロール（Ｒ）の外周面が対応する胴部（１１）に、ウェットティッシュロールの外周側端部（Ｓａ）を引き出し得るウェットティッシュ取出口（３）と該ウェットティッシュ取出口（３）を開閉する取出口蓋（４）とを設け、
前記ウェットティッシュ取出口（３）は、ウェットティッシュを幅方向にほぼ展張状態で引き出し得る開口長さを有し且つ連続ウェットティッシュ（Ｓ）の破断線（Ｍ）部分が通過時に該破断線（Ｍ）部分で切断し得る切断機能を有している、
ことを特徴とするウェットティッシュロール用容器。
【請求項２】
請求項１において、
ウェットティッシュ取出口（３）の長さ方向各端部寄り位置に、該ウェットティッシュ取出口（３）を通過する連続ウェットティッシュ（Ｓ）の幅方向両端寄り位置をそれぞれ点状に押圧する突起部（３３，３３）を設けている、
ことを特徴とするウェットティッシュロール用容器。
【請求項３】
請求項２において、
各突起部（３３，３３）は、ウェットティッシュ取出口（３）を通過する連続ウェットティッシュ（Ｓ）の破断線（Ｍ）内に係入して、該破断線（Ｍ）以下の部分の連続ウェットティッシュの連れ出しを阻止する機能を付与している、
ことを特徴とするウェットティッシュロール用容器。
【請求項４】
請求項１から３のいずれか１項において、
ウェットティッシュ取出口（３）の対向する各口縁部（３１，３２）を、上下に段差をもち且つ平面視で若干幅だけ重合する状態で形成するとともに、
ウェットティッシュ取出口（３）の下側口縁部（３２）を、長さ方向中央部（３２ａ）が両端部（３２ｂ，３２ｂ）より突出する凸形に形成している、
ことを特徴とするウェットティッシュロール用容器。
【発明の詳細な説明】
【技術分野】
【０００１】
本願発明は、一単位長さごとに切断用の破断線を入れたウェットティッシュロールをロール状に巻回してなるウェットティッシュロール用の容器に関するものである。
【背景技術】
【０００２】
この種のウェットティッシュロール用容器として、従来から図９に示すものがある。この図９のウェットティッシュロール用容器は、ウェットティッシュロールＲを収容する円筒状の容器体１０１と蓋体１０２とを有し、蓋体１０２の中央部にウェットティッシュ取出口１０３を形成し、該ウェットティッシュ取出口１０３を取出口蓋１０４で開閉し得るように構成されている。尚、ウェットティッシュロールＲは、一単位長さごとに切断用の破断線（ミシン目）Ｍを入れた連続ウェットティッシュをロール状に巻回させたものである。
【０００３】
ウェットティッシュ取出口１０３は、引き出される連続ウェットティッシュＳを摩擦抵抗力によって破断線Ｍで切断するために、小範囲のスリット状（図示例では十字状）に形成している。即ち、連続ウェットティッシュＳを引き出すときに、ウェットティッシュ取出口１０３部分で大きな摩擦力を発生させて、張力の弱い破断線Ｍ部分で自動的に切断し得るようにしている。尚、このウェットティッシュ取出口１０３は、小径穴状のものもある。
【０００４】
図９のウェットティッシュロール用容器は、容器体１内にウェットティッシュロールＲを収容し、該ウェットティッシュロールＲの中心側端部Ｓｂを蓋体１０２のウェットティッシュ取出口１０３に通して該ウェットティッシュ端部Ｓｂをウェットティッシュ取出口１０３から露出させた状態で蓋体１０２を閉じ、容器を縦向き姿勢に置いて使用する。そして、取出口蓋１０４を開き、ウェットティッシュ取出口１０３から露出しているウェットティッシュ端部Ｓｂを摘まんで引き出すと、ウェットティッシュロールＲの中心部側から連続ウェットティッシュＳが引き出され、破断線Ｍ部分がウェットティッシュ取出口１０３を通過した直後に該破断線Ｍ部分で切り離される。
【０００５】
尚、この種のウェットティッシュロール用容器の公知例として、例えば、特開２０００−３５５３４０号公報（特許文献１）、実用新案登録第２５９５７５８号公報（特許文献２）等に示されるものがある。これらの公知例のウェットティッシュロール用容器も、ウェットティッシュロールの中心側端部を小さいウェットティッシュ取出口から引き出して順次一単位長さのウェットティッシュを取り出すようになっている。
【０００６】
【特許文献１】特開２０００−３５５３４０号公報
【０００７】
【特許文献２】実用新案登録第２５９５７５８号公報
【発明の開示】
【発明が解決しようとする課題】
【０００８】
ところが、この種（図９）のウェットティッシュロール用容器では、ウェットティッシュ取出口１０３が小さい（狭い）ので、該ウェットティッシュ取出口１０３から引き出される連続ウェットティッシュＳが紐状に収束されてしまい、切断して一単位長さのウェットティッシュとして使用する際に、該ウェットティッシュを展張させる作業が面倒であるという問題があった。
【０００９】
尚、予め一単位長さに切断したウェットティッシュを折畳んで積層させたウェットティッシュ積層体を容器内に収容したものも多数市販されているが、この種のウェットティッシュ積層体入りのものでは、ウェットティッシュ取出口を比較的長く形成できるので、ウェットティッシュを比較的展張した状態で取り出せるものの、ウェットティッシュ積層体はウェットティッシュロールに比して製造が難しく且つ製造設備が高価なものとなる。
【００１０】
本願発明は、上記の問題点に鑑み、ウェットティッシュロールを使用するものであっても、一単位長さのウェットティッシュを順次展張状態で取り出せるようにしたウェットティッシュロール用容器を提供することを目的としている。
【課題を解決するための手段】
【００１１】
本願発明は、上記課題を解決するための手段として次の構成を有している。尚、本願発明は、ウェットティッシュロール用容器を対象にしている。
【００１２】
本願請求項１の発明
本願請求項１の発明は、一単位長さごとに切断用の破断線を入れた連続ウェットティッシュをロール状に巻回してなるウェットティッシュロール用の容器である。
【００１３】
本願で使用するウェットティッシュロールの材料としては、一般に不織布のような耐水性があるものが使用されている。又、切断用の破断線は、破断部を長くし連続部を短く形成して、該破断線部分で引きちぎり易くしたものがよい。
【００１４】
この請求項１の容器は、ウェットティッシュロールを挿入する挿入口つきの容器体と該容器体の挿入口を開閉する蓋体を有している。この容器体及び蓋体は、合成樹脂成型品が使用できる。
【００１５】
容器体におけるウェットティッシュロールの外周面が対応する胴部には、ウェットティッシュロールの外周側端部を引き出し得るウェットティッシュ取出口と該ウェットティッシュ取出口を開閉する取出口蓋とを設けている。ウェットティッシュ取出口の形成部分は、比較的薄い板状で、ウェットティッシュ端部を挿通させる際に適度に撓ませ得るものが好ましい。
【００１６】
ウェットティッシュ取出口は、ウェットティッシュを幅方向にほぼ展張状態で引き出し得る開口長さを有している。ウェットティッシュ取出口は、容器体の胴部（ウェットティッシュロールの外周面対応部分）に設けているので、該ウェットティッシュ取出口の開口長さをウェットティッシュ幅と同じかそれよりやや短い長さまで長くできる。尚、ウェットティッシュ取出口の開口長さは、９０〜１００mm程度あればウェットティッシュをほぼ展張状態で引き出すことができる。
【００１７】
又、ウェットティッシュ取出口には、連続ウェットティッシュの破断線部分が通過時に該破断線部分で切断し得る切断機能を有している。ウェットティッシュ取出口の破断線切断用の構成としては、連続ウェットティッシュの引出し時に破断線部分で切断し得る抵抗力を付与できるものであればよく、例えば該ウェットティッシュ取出口を細くしたり口縁部に凹凸を付けたりすることができる。
【００１８】
この請求項１のウェットティッシュロール用容器では、ウェットティッシュ取出口の開口長さが長く、ウェットティッシュロールの外周側端部から引き出すようにしているので、ウェットティッシュ取出口から連続ウェットティッシュを幅方向にほぼ展張状態で引出すことができる。又、連続ウェットティッシュの破断線部分がウェットティッシュ取出口を通過した直後に該破断線部分で切断できるとともに、次のウェットティッシュの先端部がウェットティッシュ取出口から臨出した状態で該ウェットティッシュ先端部を保持できる（次のウェットティッシュ引き出し操作が可能となる）。
【００１９】
本願請求項２の発明
本願請求項２の発明は、請求項１のウェットティッシュロール用容器において、ウェットティッシュ取出口の長さ方向各端部寄り位置に、該ウェットティッシュ取出口を通過する連続ウェットティッシュの幅方向両端寄り位置をそれぞれ点状に押圧する突起部を設けている。
【００２０】
このように、ウェットティッシュ取出口の長さ方向各端部寄り位置にそれぞれ突起部を設けると、連続ウェットティッシュの引き出し時にウェットティッシュが各突起部に接触しながら引き出されるので、ウェットティッシュの幅方向中央部の１点を摘まんで引き出すときにも、ウェットティッシュ取出口においてウェットティッシュが幅方向中央側に寄りにくくなる。
【００２１】
本願請求項３の発明
本願請求項３の発明は、請求項２のウェットティッシュロール用容器において、各突起部は、ウェットティッシュ取出口を通過する連続ウェットティッシュの破断線内に係入して、該破断線以下の部分の連続ウェットティッシュの連れ出しを阻止する機能を付与している。
【００２２】
この請求項３の場合は、連続ウェットティッシュの破断線として、幅方向両端部寄りの各破断部分を長くし、容器内に収容したウェットティッシュロールが多少位置ずれしても、該両端部寄りの各破断部分が各突起部の位置に対応するようにする。
【００２３】
そして、この請求項３の発明では、連続ウェットティッシュの引き出し時において、破断線部分がウェットティッシュ取出口に達したときに、ウェットティッシュ取出口の両端寄りの各突起部がそれぞれ破断部分に係入することにより、該各突起部で破断線以下の部分をウェットティッシュの連れ出しを阻止するとともに、破断線の連続部を容易に切断し得る。尚、連続ウェットティッシュがウェットティッシュ取出口部分において破断線部分で切断されたときには、後続側のウェットティッシュ端部の中央寄り部分のかなりの長さ範囲がウェットティッシュ取出口から臨出しており、次回のウェットティッシュ引き出し時に該ウェットティッシュ臨出部分を摘まむことができる。
【００２４】
本願請求項４の発明
本願請求項４の発明は、請求項１から３のいずれか１項のウェットティッシュロール用容器において、ウェットティッシュ取出口の対向する各口縁部を、上下に段差をもち且つ平面視で若干幅だけ重合する状態で形成するとともに、ウェットティッシュ取出口の下側口縁部を、長さ方向中央部が両端部より突出する凸形に形成している。
【００２５】
この下側口縁部の凸形状は、緩やかな一連の円弧状（例えば半径１００〜２００mmの円弧）でも角度の大きい（例えば角度１５０°〜１７０°）鈍角形状に突出させたものでもよい。
【００２６】
この請求項４の発明のウェットティッシュロール用容器では、連続ウェットティッシュがウェットティッシュ取出口における下側口縁部を迂回して（接触しながら）引き出されるが、該下側口縁部が凸形状になっているので、ウェットティッシュ取出口部分（下側口縁部）において、引き出されるウェットティッシュを強制的（積極的）に幅方向外側に展張させる機能が生じる。従って、ウェットティッシュの中央部の１点を摘まんで引き出しても、ウェットティッシュが幅方向中央側に寄りにくくなる。
【発明の効果】
【００２７】
本願請求項１の発明の効果
本願請求項１のウェットティッシュロール用容器は、ウェットティッシュ取出口の開口長さが長く、連続ウェットティッシュをウェットティッシュロールの外周側端部から引き出すようにしているので、ウェットティッシュ取出口から連続ウェットティッシュを幅方向にほぼ展張状態で引出すことができる。従って、切断した一単位のウェットティッシュをそのまま（展張させることなく）使用することができるという効果がある。
【００２８】
本願請求項２の発明の効果
本願請求項２のウェットティッシュロール用容器は、ウェットティッシュ取出口の長さ方向各端部寄り位置に連続ウェットティッシュの幅方向両端寄り位置をそれぞれ点状に押圧する突起部を設けているので、ウェットティッシュの中央部の１点を摘まんで引き出しても、引き出される連続ウェットティッシュが幅方向中央側に寄りにくくなる。従って、この請求項２のウェットティッシュロール用容器では、上記請求項１の効果に加えて、連続ウェットティッシュを一層展張させた状態で引き出すことができるという効果がある。
【００２９】
本願請求項３の発明の効果
本願請求項３のウェットティッシュロール用容器は、各突起部がウェットティッシュ取出口を通過する連続ウェットティッシュの破断線内に係入して、該破断線以下の部分の連続ウェットティッシュの連れ出しを阻止するようになっている。従って、この請求項３のウェットティッシュロール用容器では、上記請求項２の効果に加えて、ウェットティッシュロールを使用したものであっても、連続ウェットティッシュの破断線で確実に切断できるという効果がある。
【００３０】
本願請求項４の発明の発明
本願請求項４のウェットティッシュロール用容器は、ウェットティッシュ取出口の対向する各口縁部を、上下に段差をもち且つ平面視で若干幅だけ重合する状態で形成するとともに、ウェットティッシュ取出口の下側口縁部を、長さ方向中央部が両端部より突出する凸形に形成しているので、凸形状の下側口縁部により引き出される連続ウェットティッシュを強制的（積極的）に幅方向外側に展張させる機能が働く。従って、この請求項４のウェットティッシュロール用容器では、上記請求項１〜３の効果に加えて、連続ウェットティッシュをさらに一層展張させた状態で引き出すことができるという効果がある。
【実施例】
【００３１】
図１〜図８を参照して本願実施例のウェットティッシュロール用容器を説明すると、図１〜図５には本願第１実施例が示され、図６〜図８には本願第２実施例が示されている。尚、これらの実施例のウェットティッシュロール用容器は、ウェットティッシュロールＲを詰め替え式に収納し得るものである。
【００３２】
この各実施例で使用するウェットティッシュロールＲは、不織布製で、図５に示すように一単位長さＬ（例えば２００mm）ごとに切断用の破断線Ｍを入れた連続ウェットティッシュＳをロール状に巻回したものである。尚、連続ウェットティッシュＳの幅は、１４４mm（特に限定するものではない）に設定している。破断線Ｍは、各破断部Ｍａを長くし（約４０mm）、各連続部Ｍｂを短く（約２mm）して、該破断線Ｍ部分で引きちぎり易くしている。
【００３３】
図１〜図５の第１実施例
この第１実施例のウェットティッシュロール用容器（図１〜図４）は、図５に示すウェットティッシュロールＲを収容して、該ウェットティッシュロールＲの外周側端部Ｓａ側から順次一単位長さＬのウェットティッシュＴを取り出せるようにしたものである。
【００３４】
このウェットティッシュロール用容器は、それぞれ合成樹脂成型品からなる容器体１とその蓋体２とで構成されている。
【００３５】
容器体１は、略円筒形の胴部１１を有し、該胴部１１の一端部にウェットティッシュロールＲを挿入するための挿入口１０を設けている。容器体１は、ウェットティッシュロールＲを収容し得る長さ及び内径を有している。尚、この容器内には、ウェットティッシュロールＲが転動し得る状態で収容される。蓋体２は、容器体１の挿入口１０を気密保持状態で閉塞できる。
【００３６】
このウェットティッシュロール用容器は、横向き姿勢で使用される関係で、容器外周部の一部に平坦面とした底面部１２を形成している。
【００３７】
容器体胴部１１の上面側には、該胴部１１の全長よりやや短い程度のかなりの長さ範囲（例えば１２０〜１３０mm）に凹部１３を形成している。この凹部１３の段下げ面は平坦面となっている。この凹部１３には、胴部長さ方向にかなりの長さ（例えば１１０〜１２０mmの長さ）を有する四角形状の立上がり壁１４が形成されている。尚、この四角形状の立上がり壁１４は、容器体１内に収容されたウェットティッシュロールＲの外周面が対応する位置にある。
【００３８】
そして、この立上がり壁１４内には、ウェットティッシュロールＲの外周側端部Ｓａを引き出し得るウェットティッシュ取出口３が形成されている。この第１実施例では、ウェットティッシュ取出口３は、立上がり壁１４内のほぼ全長（１１０〜１２０mm）に亘る開口長さを有するスリット状のものを採用している。尚、このウェットティッシュ取出口３の開口長さは、連続ウェットティッシュＳの幅（１４４mm）に近づけるほど、連続ウェットティッシュＳを広幅状態で引き出せるが、該ウェットティッシュ取出口３の開口長さは９０〜１００mm程度あれば、図３に符号Ｓ′で示すように、連続ウェットティッシュをかなりの展張状態で引出すことができ、使用時にウェットティッシュを展張させる作業が不要になる。
【００３９】
ウェットティッシュ取出口３の対向口縁部３１，３２間の間隔は、連続ウェットティッシュＳが無理なく挿通できる範囲で可及的に狭く（例えば０.５〜１mm程度）するのがよい。又、ウェットティッシュ取出口３の各口縁部３１，３２は、比較的薄い（例えば０.５mm以下）板状で、ウェットティッシュ端部Ｓａを挿通させる際に適度に撓ませ得るようになっている。
【００４０】
容器体胴部１１の上面部には、ウェットティッシュ取出口３を開閉する取出口蓋４が設けられている。この取出口蓋４の裏面側には、容器体胴部１１側の立上がり壁１４内に嵌入する四角形の嵌入壁４１が突出形成されている。そして、この取出口蓋４は、図２に鎖線図示（符号４′）する閉蓋状態では、嵌入壁４１が立上がり壁１４内にほぼ密閉状態で嵌入して、ウェットティッシュ取出口３を外気と遮断するようになっている。
【００４１】
ウェットティッシュ取出口３の長さ方向各端部寄り位置には、該ウェットティッシュ取出口３を通過する連続ウェットティッシュＳの幅方向両端寄り位置をそれぞれ点状に押圧する三角形状の突起部３３，３３を設けている。この各突起部３３，３３は、ウェットティッシュ取出口３における対向する各口縁部３１，３２の相互に逆側の端部寄り位置に、相互に逆向きに突出する状態でそれぞれ１箇所づつ形成されている。各側の突起部３３，３３が対面する側の口縁部３２，３１には、該各突起部３３，３３を嵌入させる切欠部３４，３４が形成されている。そして、この各突起部３３，３３は、連続ウェットティッシュＳの引き出し時に、連続ウェットティッシュＳの各端部寄り位置において表裏各面を点状（連続ウェットティッシュが引き出されるので線状）に押圧するので、ウェットティッシュ取出口３において連続ウェットティッシュＳが幅方向中央側に寄りにくくする機能をもつことになる。従って、連続ウェットティッシュＳが展張されたまま引き出される。
【００４２】
又、ウェットティッシュ取出口３部分の各突起部３３，３３は、ウェットティッシュ取出口３から引き出される連続ウェットティッシュＳの破断線Ｍが対面したときに、図４に示すように該破断線の破断部Ｍａ内に係入するようになっている。即ち、破断線Ｍにおける各端部寄り破断部Ｍａ，Ｍａは、それぞれかなりの長さ（約４０mm）を有しているので、ウェットティッシュロールＲが容器体１内で多少位置ずれしても、該各突起部３３，３３の設置部分に各端部寄りの各破断部Ｍａ，Ｍａが対応し、さらに、各突起部３３，３３は対向側口縁部（３１，３２）を越えて突出しているので、破断線Ｍが各突起部３３，３３に差しかかったときには、該各突起部３３，３３が各端部寄り破断部Ｍａ，Ｍａ内に確実に侵入するようになる。そして、該各突起部３３，３３が破断部Ｍａ，Ｍａ内に侵入すると、該破断線Ｍ以下の部分の連続ウェットティッシュＳの連れ出しを阻止し、該連続ウェットティッシュＳが継続して引き出されていることにより、破断線Ｍの連続部Ｍｂ，Ｍｂを強制的に切断し得るようになっている。このとき、切断された後続の連続ウェットティッシュＳの先端部Ｓａは、両突起部３３，３３間においてウェットティッシュ取出口３から僅かに臨出した状態で該ウェットティッシュ取出口３部分に保持されており、次のウェットティッシュ引き出し時に該ウェットティッシュ先端部が摘まみ易くなる。
【００４３】
このように、第１実施例のウェットティッシュロール用容器では、ウェットティッシュ取出口３の開口長さが長く、ウェットティッシュロールＲの外周側端部Ｓａから引き出すようにしているので、ウェットティッシュ取出口３から連続ウェットティッシュＳを幅方向にほぼ展張状態で引出すことができ、且つ各突起部３３，３３により連続ウェットティッシュＳが幅方向中央側に収束しにくくなる。又、各突起部３３，３３により連続ウェットティッシュＳの破断線Ｍ部分がウェットティッシュ取出口３を通過するときに該破断線Ｍ部分で確実に切断できるとともに、次のウェットティッシュ先端部Ｓａがウェットティッシュ取出口３から臨出した状態で該ウェットティッシュ先端部Ｓａを保持できるという機能がある。
【００４４】
第２実施例
図６〜図８に示す第２実施例のウェットティッシュロール用容器は、上記第１実施例のウェットティッシュロール用容器において、ウェットティッシュ取出口３の対向する各口縁部３１，３２を、上下に段差をもち且つ平面視で若干幅だけ重合する状態で形成している。又、ウェットティッシュ取出口３の下側口縁部３２は、長さ方向中央部３２ａが両端部３２ｂ，３２ｂより突出する凸形に形成している。この第２実施例では、下側口縁部３２の凸形状は、緩やかな一連の円弧状（例えば半径１００〜２００mmの円弧）に形成している。
【００４５】
又、ウェットティッシュ取出口３における上側口縁部３１には、その長さ方向両端寄り位置にそれぞれ突起部３３，３３を形成している。この第２実施例では、各突起部３３，３３は、同方向（前方）に向けて突出させている。尚、この各突起部３３，３３も、第１実施例と同様の機能（連続ウェットティッシュＳが幅方向中央側に収束するのを阻止するとともに、破断線Ｍで確実に切断する機能）を有する。
【００４６】
尚、この第２実施例のウェットティッシュロール用容器のその他の構成は、上記第１実施例のものと同じである。
【００４７】
この第２実施例のウェットティッシュロール用容器では、図８に示すように連続ウェットティッシュＳがウェットティッシュ取出口３における下側口縁部３２を迂回し、且つ上側口縁部３１に接触しながら引き出されるが、下側口縁部３２が凸形状（円弧形状）になっているので、図７に示すように連続ウェットティッシュＳが下側口縁部３２を通過する際に、引き出される連続ウェットティッシュＳを強制的（積極的）に幅方向外側（矢印Ａ，Ａ側）に展張させる機能が生じる。
【００４８】
従って、第２実施例のウェットティッシュロール用容器では、上側口縁部３１の各突起部３３，３３によってウェットティッシュの幅方向収束阻止機能と破断線Ｍでの切断機能を有するとともに、それに加えて凸形状の下側口縁部３２により、連続ウェットティッシュＳを一層幅方向中央側に寄りにくくする機能がある。
【図面の簡単な説明】
【００４９】
【図１】本願第１実施例のウェットティッシュロール用容器の斜視図である。
【図２】図１のII−II断面図である。
【図３】図１のIII−III断面図である。
【図４】図１の容器のウェットティッシュ取出口部分の拡大平面図である。
【図５】本願実施例て使用するウェットティッシュロールの斜視図である。
【図６】本願第２実施例のウェットティッシュロール用容器の斜視図である。
【図７】図６のウェットティッシュロール用容器の平面図である。
【図８】図７のVIII−VIII断面図である。
【図９】従来のウェットティッシュロール用容器の斜視図である。
【符号の説明】
【００５０】
１は容器体、２は蓋体、３はウェットティッシュ取出口、４は取出口蓋、１０は挿入口、３１，３２はウェットティッシュ取出口の各口縁部、３２ａは下側口縁部の中央部、３２ｂは下側口縁部の端部、３３は突起部、Ｒはウェットティッシュロール、Ｓは連続ウェットティッシュ、Ｓａはウェットティッシュ端部、Ｍは破断線である。
【図１】
2005271980.tif 000003
【図２】
2005271980.tif 000004
【図３】
2005271980.tif 000005
【図４】
2005271980.tif 000006
【図５】
2005271980.tif 000007
【図６】
2005271980.tif 000008
【図７】
2005271980.tif 000009
【図８】
2005271980.tif 000010
【図９】
2005271980.tif 000011